(57)【要約】【課題】充填機の大幅な改造を必要とすることなく、開封時に切取り部を折り返してパウチに容易に引っ掛けることができ、折り返し部が外れることなく、突出した形状の注出口部が得られ、詰替え作業を安定して行うことが可能な詰替え用包装袋の提供。【解決手段】略方形の表裏フィルムの上部を貼り合わせてなる上部シール部の一隅側の容器内方に、上部シール部から容器底部側に向けて連続する延長シール部と容器側部との間に位置した注出口部を設け、延長シール部に注出口の開封予定線と交わる分割線部を設けた詰替え用包装袋であって、該分割線の上端には切れ止め手段が設けられ、下端には該分割線とつながる包装袋上部に向かった折り曲げ線が設けられている詰替え用包装袋。【選択図】図１
2010173688.tif 000002
【特許請求の範囲】
【請求項１】
それぞれ略方形にして対向した表フィルムと裏フィルムとの上部を貼り合わせてなる上部シール部の一隅側の容器内方に、前記上部シール部から容器底部側に向けて連続する延長シール部と容器側部との間に位置した注出口部を設け、延長シール部の前記注出口部側に寄った位置に、該延長シール部と注出口部との境界に沿った、注出口の開封予定線と交わる分割線部を設けた詰替え用包装袋であって、該分割線の上端には切れ止め手段が設けられていて、下端には該分割線とつながる包装袋上部に向かった折り曲げ線が設けられていることを特徴とする詰替え用包装袋。
【請求項２】
分割線の上端部は、折り曲げ線より折った時に包装袋の上端部付近に来る位置に設けられ、かつ、その先端の前記切れ止め手段が釣り針状の形をしていることを特徴とする請求項１に記載の詰替え用包装袋。
【請求項３】
折り曲げ線は、罫押し線、ハーフカット、若しくはミシン目加工によって形成されていることを特徴とする請求項１または２に記載の詰替え用包装袋。
【請求項４】
包装袋の上部片方に注出口部を形成し、包装袋の下部に折込部構造を設けた自立包装袋であることを特徴とする請求項１から３のいずれか１項に記載の詰替え用包装袋。
【請求項５】
注出口部の開封予定線付近に開封予定線に平行な傷加工がしてあることを特徴とする請求項１から４のいずれか１項に記載の詰替え用包装袋。
【請求項６】
注出口部付近には、エンボス加工がしてあることを特徴とする請求項１から５のいずれか１項に記載の詰替え用包装袋。
【発明の詳細な説明】
【技術分野】
【０００１】
本発明は詰替え用の調味料や化粧品や洗剤類などを収容する包装材料として利用され、容器への詰替え作業を容易にした包装袋に関するものである。
【背景技術】
【０００２】
従来の詰替え用包装袋は、空容器に内容物を詰め替える際に注出口部分をその空容器の口部にあてがいやすくする目的で、上方に突出させた注出口を設けた形状が多く提案されており、内容物の注出については、その注出口部の途中部分を切断し、その切り口を空容器の口部内に差し入れて内容物を注ぎ入れるようにしている。
【０００３】
このように上方に突出した注出口部を設けた包装袋では、形状ごとに充填機のフィーダ部やシールバーなど大規模な改造が必要になり製造コストがかさむだけでなく、開封した際切り取った摘み部に付着した液が、床などに付着するあるいは切り取りによってゴミがふたつに増えるといった問題があった。
【０００４】
これに対して、摘み部を切り取った際に、その摘み部が差し込む穴が設けてあったり（特許文献１）、摘み部をパウチ上部に引っ掛ける機構を設けたもの（特許文献２）が提案されている。
【０００５】
特許文献１に開示されている包装容器では、方形状の表裏２枚のシートの両側縁と上縁でシールされた側縁シール部と上縁シール部を有し、上縁一方のコーナー端部に切断線を有するノズル部を有し、ノズル部は、先端に切断線が施され、上縁シール部に施された切り欠き部と側縁シール部に施された切り抜き孔で形成されている。これにより、開封時に切り欠き部の先端を容器側部の切り抜き孔に差込んで繋止してノズル開口部から内容物を注出するときに邪魔にならないようにすることが出来る。
【０００６】
また、特許文献２に開示されている包装容器では、図３に示すように、それぞれ略方形形状とした正面シート２と背面シート３とを相対して配置するとともに、容器底部に底シート４を介在させた状態で正面シートと背面シートとの周辺をヒートシールして、容器底部の正面シートの下辺と背面シートの下辺との間を広げることで自立でき、容器上部では前記正面シートと背面シートとの三周辺を相互に貼り合わせたものである。
【０００７】
この包装容器にあっては、上部シール部５の一隅側において容器内方に注出口開口部８が設けられている。注出口開口部は、上部シール部から容器底部側に向けて下端を角にした略三角形状にシール領域を広げるようにして連続する延長シール部９と、容器側部の側部シール部１０との間に位置している。注出口開口部８は上部シール部５の一隅側を頂点とするテーパー状に形成されている。
【０００８】
図３において１１は延長シール部９のシール領域内に設けられている分割線部を示している。この分割線部１１はカット目が、ミシン目やスリットなどのように分離容易な状態に加工してなるものであり、図示されているように延長シール部の注出口開口部側に寄った位置にあり、かつ、延長シール部の上記境界に沿うようにして設けられている。そして、この分割線部の両端部それぞれに、裂けが進まないようにしたパンチ穴などからなる切れ止め手段１２が設けられており、開封操作時にこの分割線部の端部から裂けが延びないようにしている。
【０００９】
図４は図３に示した包装容器の開封時の引っ掛け姿を示す概略図であり、ノッチ１４か
らガイド線部１３にそって注出口開口部８を横断するようにして分割線部１１のほぼ中央に達するように切り裂き、摘み部７を上方に折り返して分割線部１１の上端部を上部シール部に引っ掛けることで開口した注出口開口部からの内容物詰め替えの障害にならないようにする状態を示している。
【先行技術文献】
【特許文献】
【００１０】
【特許文献１】特開２００３−２５２３５０号公報
【特許文献２】特許３７４３２０５号
【発明の概要】
【発明が解決しようとする課題】
【００１１】
特許文献１で提案されているような容器側部に差込み孔を穿設する方法では、差込み孔の抜きカスが包装容器内に混入したり、流通時に穴にひっかかったりして、破れにつながる危険がある。
【００１２】
また特許文献２で提案されているような方法では、開封後摘み部をパウチ上部へ引っ掛けるために折り返そうとするとき、シール部分の腰が強く、その反発力によって内容物の注出途中で引っ掛けた部分が外れて注出物がこぼれてしまうという問題があった。
【課題を解決するための手段】
【００１３】
本発明は上記課題を解決するためになされたものであり、請求項１に記載の発明は、それぞれ略方形にして対向した表フィルムと裏フィルムとの上部を貼り合わせてなる上部シール部の一隅側の容器内方に、前記上部シール部から容器底部側に向けて連続する延長シール部と容器側部との間に位置した注出口部を設け、延長シール部の前記注出口部側に寄った位置に、該延長シール部と注出口部との境界に沿った、注出口の開封予定線と交わる分割線部を設けた詰替え用包装袋であって、該分割線の上端には切れ止め手段が設けられていて、下端には該分割線とつながる包装袋上部に向かった折り曲げ線が設けられていることを特徴とする詰替え用包装袋である。
【００１４】
請求項２に記載の発明は、分割線の上端部は、折り曲げ線より折った時に包装袋の上端部付近に来る位置に設けられ、かつ、その先端は釣り針状の形をしていることを特徴とする請求項１に記載の詰替え用包装袋である。
【００１５】
請求項３に記載の発明は、折り曲げ線は、罫押し線、ハーフカット、若しくはミシン目加工によって形成されていることを特徴とする請求項１または２に記載の詰替え用包装袋である。
【００１６】
請求項４に記載の発明は、包装袋の上部片方に注出口部を形成し、包装袋の下部に折込部構造を設けた自立包装袋であることを特徴とする請求項１から３のいずれか１項に記載の詰替え用包装袋である。
【００１７】
請求項５に記載の発明は、注出口部の開封予定線付近に開封予定線に平行な傷加工がしてあることを特徴とする請求項１から４のいずれか１項に記載の詰替え用包装袋である。
【００１８】
請求項６に記載の発明は、注出口部付近には、エンボス加工がしてあることを特徴とする請求項１から５のいずれか１項に記載の詰替え用包装袋である。
【発明の効果】
【００１９】
本発明の請求項１に記載の発明によれば、それぞれ略方形にして対向した表フィルムと
裏フィルムとの上部を貼り合わせてなる上部シール部の一隅側の容器内方に、前記上部シール部から容器底部側に向けて連続する延長シール部と容器側部との間に位置した注出口部を設け、延長シール部の前記注出口部側に寄った位置に、該延長シール部と注出口部との境界に沿った、注出口の開封予定線と交わる分割線部を設けた詰替え用包装袋であって、該分割線の上端には切れ止め手段が設けられていて、下端には該分割線とつながる包装袋上部に向かった折り曲げ線が設けられている構造となっているので、開封時に切取り部を折り返して包装袋に容易に引っ掛けることができ、折り返し部が外れることなく、突出した形状の注出口部が得られるのみならず、摘み部より切り取る際に切取り部が分離することなく、包装袋に引っ掛かることを可能とした。、
【００２０】
すなわち、注出口を形成するシール部に分割線を設けたことによって注出口開口部を簡単に形成することが出来、分割線の上端に切れ止め手段を設けたことによって不要に延長して開裂することがなく、分離した切取り部のゴミが増えるのを防止できる。
【００２１】
さらに下端でこの分割線とつながる折り曲げ線を設けたことによって、開封時に摘み部の分割線上端を上部シール部に引っ掛けたときに反発力によって外れてしまうことを防止できる。
【００２２】
請求項２に係る発明によれば、分割線の上端部は、折り曲げ線より折った時に包装袋の上端部付近に来る位置に設けられ、かつ、その先端は釣り針状の形をしているので、摘み部を切り取って包装袋に引っ掛かり易いように、折り曲げ線より折った時に包装袋上端部付近に位置していて、かつ、その先端は釣り針状の形をしているので折り曲げ線が上記の反発防止の効果だけでなく、適切な引っ掛け位置に誘導する効果も併せ持ち、上記分割線上端部が釣り針状の形をしていることによってさらに外れにくくなるという仕組みになっている。
【００２３】
請求項３に係る発明によれば、折り曲げ線が、罫押し線、ハーフカット、若しくはミシン目加工によって形成されているので製造装置や工程の都合により折り曲げ位置を示すことが出来、折り曲げくせ（反発力の低減）をつけることが可能な方法であればこのいずれの方法でも可能である。
【００２４】
請求項４に係る発明によれば、包装袋の上部片方に注出口部を形成し、包装袋の下部に折込部構造を設けた自立包装袋に採用することによって詰替え用作業を効果的に実施できる。
【００２５】
請求項５に係る発明によれば、注出口部の開封予定線付近に開封予定線に平行な傷加工がしてあることによって、直線カット性が向上して開封予定部にそってより開封しやすく、かつ、的確な位置で開封出来るようになる。
【００２６】
請求項６に係る発明によれば、注出口部付近の表裏フィルムに、外側に向かってふくらむ形状のエンボス加工がしてあることによって、開封時に注出口開口部が開く方向でふくらみ、内容物の詰め替えの効率が上がる。
【００２７】
このように本発明の詰替え用包装袋は、充填機の大幅な改造を必要とすることなく、開封時に切取り部を折り返して包装容器に容易に引っ掛けることができ、折り返し部が外れることなく、突出した形状の注出口部が得られ、詰替え作業を安定して行うことが可能である。
【図面の簡単な説明】
【００２８】
【図１】本発明の詰替え用包装体の一例の姿図
【図２】本発明の詰替え用包装体の一例の開封時の引っ掛け姿図
【図３】従来の詰替え用包装体の姿図
【図４】従来の詰替え用包装体の開封時の引っ掛け姿図
【図５】本発明の詰替え用包装体の一例の姿図
【発明を実施するための形態】
【００２９】
以下、本発明の実施形態の一つについて図を参照しながら説明する。
図１は本発明の詰替え用包装袋の一例の姿図を示し、図２はその開封時の姿図を示す。図３はエンボス加工の説明図である。
【００３０】
本発明の詰替え用包装袋は、たとえば図１に示すように、それぞれ略方形にして対向した表フィルム２と裏フィルム３との上部を貼り合わせてなる上部シール部５の一隅側の容器内方に、前記上部シール部５から容器底部側に向けて連続する延長シール部９と容器側部との間に位置した注出口部６を設け、延長シール部９の前記注出口部６側に寄った位置に、該延長シール部９と注出口部６との境界に沿った、注出口の開封予定線１３と交わる分割線部１１を設けた詰替え用包装袋であって、該分割線１１の上端には切れ止め手段１６が設けられていて、下端には該分割線１１とつながる包装袋上部に向かった折り曲げ線１８が設けられている構造となっており、摘み部７より切り取る際に分離することなく、包装袋の上部シール部５の上縁に摘み部７を含む切取り部を引っ掛けることが可能とした自立型の包装袋である。
【００３１】
上記分割線の上端部１６は、分割線部１１にそって開裂するときの停止を確実にすると同時に、摘み部７を包装袋の上部シール部５の上縁部に引っ掛かけ易いように、折り曲げ線１８より折った時に包装袋上端部付近にくるように位置している。
【００３２】
かつ、分割線部１１の上端部１６は包装袋に引っ掛かった後に内容物の詰め替えが終わるまで容易には外れないように釣り針状の形をしている。その先端部の位置は、折り曲げた際の包装袋上端より±５．０ｍｍ以内の範囲であることが望ましい。
【００３３】
上記の折り曲げ線１８は、罫押し線、ハーフカット、ミシン目加工によって形成している。その加工方法は、金属刃を用いたり、ＣＯ２レーザやＹＡＧレーザなどを用いた周知の方法で構わない。
【００３４】
包装袋の開封時に注出口開口部８が広く開口しやすいように、注出口部６の領域にフィルム内側から外側に向かって膨らんだ形状のたとえば金属型によるエンボス成形２０をしてもよい。
【００３５】
上記構造の包装袋１を開封して内容物を注出するには、図２に示すように、まず、側部シール部１０にあるノッチ１４から開封予定線１３に沿って分割線部１１まで達するようにして注出口開口部８を切断する。これによって注出口開口部８で詰替え用包装袋が開封される。また、注出口開封部８をノッチ１４から指先で裂きながら切断するに際して、ある程度勢いが付いて裂け目が分割線部１１までに達してその分割線部１１の位置で延長シール部９が若干開くようになるが、この分割線部１１の上端に切れ止め手段１６があるため、分割線部１１から上方等に裂けが延びることはなく、容器内方側へ裂け目が達するのを確実に防止している。
【００３６】
また、このように注出口開口部８を切断しても、注出口開口部８の上部側であった箇所は延長シール部９と連続した状態のままの切り残し部となり、切り落とされてゴミとなることがない。そして、注出口開口部８と分割線部１１を切断した後には、折り曲げ線１８に沿って摘み部７と延長シール部９とをもう一方の側部シール部側に折り返して、上部シ
ール部５に分割線部１１の上部１６が掛かるようにして係止させれば、この折り返し部分が上部シール部５に係止した状態のままとなって注出口開口部８の開口を覆うことがなく、また、下部側の分割線１１も若干開くようになって注出口開口部８が単独で突出するようになる。
【００３７】
この時に分割線部１１の上部１６は釣り針状の切り込みからなっているので上部シール部５に引っ掛ける時に引っ掛けやすくまた、容易には外れないようになる。
【００３８】
こののち、突出した状態の注出口開口部８を、たとえばボトル容器の口部に差し入れるようにすれば、その注出口開口部８が確実に口部内に位置して内容物の移し替えが簡単に行えるようになる。
【００３９】
上記分割線部１１の形状は上端と下端の間は直線状のものとして説明したが、これに限定されるものではない。
【００４０】
一方、この構造の詰替え用包装袋１は正面形状、背面形状が略方形形状であり、内容物を充填する前においては、注出口開口部８が位置する側の側部シール部１０の上端に連続するようにして分割線部１１の上方である上部シール部５とこの上部シール部５から下方に延びる延長シール部９とを予めヒートシールしており、その延長シール部９のもう一方の境界が縦となり、対向する側部シール部１０も縦の帯状となって形成され、その間を充填口としている。
【００４１】
そして、充填後に前記充填口をヒートシールにより封止するに際して、表フィルム２と裏フィルム３との上部が一直線状に形成されて注出口開口部８がその直線上に位置しないことから、従来の方形形状の液体包装容器に対してのヒートシールと同じ封止装置にてヒートシールを行なっても、その封止装置が前記注出口開口部８の部分を挟み込むことがなくこの注出口開口部８に影響を及ぼさない。
【００４２】
即ち、容器の幅方向全域に亘る長いシールバーを備える封止装置にて表フィルム２と裏フィルム３との上部を容器幅方向全域に亘って挟み込んでヒートシールしても、本発明の液体包装容器１では予め注出口開口部８の上部がヒートシールされていることから、ヒートシール済みの部分を前記シールバーが挟み込むようにしているものである。よって、従来から使用している充填機に代えて新しく専用の充填機を開発する必要はなく、従来から使用している充填機を改良する必要もない。
【００４３】
本発明の容器に使用する材料の層構成としては、一般的なスタンディングパウチに用いられる構成が望ましいが、少なくとも、基材とシーラントを含む構成であれば特に限定しない。例えば、下記のものを例として挙げることができる。
（１）表フィルム、裏フィルム：（外面）延伸ナイロン（１５μｍ）／外面に蒸着層を設けたポリエチレンテレフタレート（１２μｍ）／線状低密度ポリエチレン（１００μｍ）
底フィルム：（外面）ナイロン（２５μｍ）／線状低密度ポリエチレン（１００μｍ）
（２）表フィルム、裏フィルム：（外面）ポリエチレンテレフタレート（１２μｍ）／アルミ箔（７μｍ）／延伸ナイロン（１５μｍ）／線状低密度ポリエチレン（１００μｍ）
底フィルム：（外面）ナイロン（２５μｍ）／アルミ箔（７μｍ）／線状低密度ポリエチレン（１２０μｍ）
（３）表フィルム、裏フィルム：（外面）内面に蒸着層を設けたポリエチレンテレフタレート（１２μｍ）／延伸ナイロン（１５μｍ）／線状低密度ポリエチレン（１３０μｍ）
＊蒸着層としてはアルミニウムなどの金属蒸着、アルミナ、シリカなどの無機化合物蒸着などを挙げることができる。
底フィルム：（外面）ナイロン（２５μｍ）／線状低密度ポリエチレン（１２０μｍ）
（４）表フィルム、裏フィルム：（外面）内面に蒸着層を設けたポリエチレンテレフタレート（１２μｍ）／外面に蒸着層を設けた延伸ナイロン（１５μｍ）／線状低密度ポリエチレン（１３０μｍ）
底フィルム：（外面）ナイロン（２５μｍ）／線状低密度ポリエチレン（１２０μｍ）
（５）表フィルム、裏フィルム：（外面）内面に蒸着層を設けたポリエチレンテレフタレート（１２μｍ）／線状低密度ポリエチレン（１５０μｍ）
底フィルム：（外面）ナイロン（２５μｍ）／線状低密度ポリエチレン（１５０μｍ）
（６）表フィルム、裏フィルム：（外面）ポリエチレンテレフタレート（１２μｍ）／延伸ナイロン（１５μｍ）／線状低密度ポリエチレン（１３０μｍ）
底フィルム：（外面）ナイロン（２５μｍ）／線状低密度ポリエチレン（１３０μｍ）
（７）表フィルム、裏フィルム：（外面）ポリエチレンテレフタレート（１２μｍ）／外面に蒸着層を設けた延伸ナイロン（１５μｍ）／線状低密度ポリエチレン（１３０μｍ）
底フィルム：（外面）ナイロン（２５μｍ）／線状低密度ポリエチレン（１３０μｍ）
（８）表フィルム、裏フィルム：（外面）延伸ナイロン（１５μｍ）／線状低密度ポリエチレン（１５０μｍ）
底フィルム：（外面）延伸ナイロン（２５μｍ）／線状低密度ポリエチレン（１５０μｍ）
【００４４】
このように本発明の詰替え用包装袋は、充填機の大幅な改造を必要とすることなく、開封時に切取り部を折り返して包装容器に容易に引っ掛けることができ、折り返し部が外れることなく、突出した形状の注出口部が得られ、詰替え作業を安定して行うことが可能である。
【実施例】
【００４５】
以下に本発明の具体的実施例について説明する。
【００４６】
＜実施例１＞
巾１４０ｍｍ、高さ２１０ｍｍ、折込３５ｍｍのスタンディングパウチについて、図１に示すような、分割線の上端部に釣り針状の引っ掛け機構を設け、かつ分割線下端よりパウチ上部に向かって、切込み４．０ｍｍとつなぎ１．０ｍｍからなるミシン目に入れた折り曲げ線を設けた本発明の詰替え用包装袋を作成した。材質構成は以下の通りである。
ＰＥＴ１２μｍ／接着剤／ＯＮｙ１５μｍ／接着剤／シーラント１００μｍ
ＰＥＴ１２μｍ：凸版印刷（株）、ＧＬ−ＡＥＣ−Ｆ
ＯＮｙ１５μｍ：ユニチカ（株）、ＯＮＭＢ−ＲＴ、片面易接着処理、片面コロナ処理
シーラント１００μｍ：タマポリ（株）、ＤＳ−２Ｃ、ＬＬＤＰＥ１００μｍ、片面コロナ処理
【００４７】
以下に本発明の比較例について説明する
＜比較例１＞
巾１４０ｍｍ、高さ２１０ｍｍ、折込３５ｍｍのスタンディングパウチについて、図３に示すように、分割線を設け、その両端に切れ止め手段を設けた詰替え用包装袋を作成し
た。材質構成は実施例１と同一にした。
【００４８】
＜実験方法＞
内容物としてシャンプーを４００ｇ充填した実施例１及び比較例１のパウチについて、それぞれ１０名のモニターで空容器への詰め替え作業を行い、摘み部より開封して切取り部をパウチに引っ掛けた状態で詰替え開始から終了までに切取り部がパウチから外れないかどうかの確認を行った。比較結果を表１に示す。
【００４９】
＜比較結果＞
【表１】
2010173688.tif 000003
【００５０】
以上のように、本発明の詰替え用包装袋は、開封時に切取り部を折り曲げ線に沿って折り返しすことによって包装袋上部に容易に引っ掛けることができ、折り返し部が外れることなく、突出した形状の注出口部が得られ、詰替え作業が容易になった。
【符号の説明】
【００５１】
１…詰替え用包装体（液体包装容器）
２…表フィルム（正面シート）
３…裏フィルム（背面シート）
４…底フィルム
５…上部シール部
６…注出口部
７…摘み部
８…注出口開口部
９…延長シール部
１０…側部シール部
１１…分割線
１２…切れ止め手段
１３…ガイド線部（開封予定線）
１４…ノッチ
１６…切れ止め手段（引っ掛け部）
１８…折り曲げ線
１９…レーザー傷加工部
【図１】
2010173688.tif 000004
【図２】
2010173688.tif 000005
【図３】
2010173688.tif 000006
【図４】
2010173688.tif 000007
【図５】
2010173688.tif 000008